(57)【特許請求の範囲】
【請求項１】
いずれも断熱材からなる上方を開放した箱形の容器本体と該容器本体に被せる蓋体とで構成され、配送品をドライアイスで保冷しながら収納する配送用保冷容器において、
前記容器本体には、上端面の内縁に沿って凸条の係合リブを設ける一方、
前記蓋体は、
枠板状の蓋本体と上蓋および下蓋の３つに着脱自在に分割して構成し、前記蓋本体には、上端面および下端面の内縁に沿ってそれぞれ凸条の係合リブを設けると共に、内壁面の下縁に沿って上下に凸条の押えリブと蓋受けリブとを間隔をあけて設け、前記上蓋には、下面端縁に凸条の係合リブを設け、前記下蓋を、前記蓋受けリブの上に前記押えリブとの間で挟んで載置し、前記上蓋を、その係合リブを前記蓋本体の上端面の係合リブに係合して該蓋本体上に被せることにより、内部に前記下蓋の上に乗せて収納する前記ドライアイスの周りに冷気が充満する空間のあいた冷気供給室が形成される持ち運び可能な箱形に組み立ててなる一方、前記蓋本体の下端面の係合リブを前記容器本体の上端面の係合リブに係合して該容器本体に対し着脱自在に組み付け、
前記下蓋は、蓄冷体で形成し、該蓄冷体に、前記冷気供給室内の冷気を前記容器本体側へ送給する通気用の開口を設けて構成する一方、
前記容器本体の内壁面には、蓄冷体を間に挟んでアルミニウム製の熱伝導板を組み付け、該熱伝導板の上端部に互いに対向する向きに屈曲した折曲げ板部を形成し、前記容器本体に前記蓋体を被せたとき、前記下蓋の下面と前記折曲げ板部とが接触する構造にしてなることを特徴とする、配送用保冷容器。
【請求項２】
樹脂製の断熱カバーを開閉可能に被せて全体を覆ってなることを特徴とする、請求項１に記載の配送用保冷容器。
【発明の詳細な説明】
【０００１】
【発明の属する技術分野】
本発明は、宅配便などで冷凍食品のような配送品を、ドライアイスと一緒に入れて保冷しながら配送する場合に使用される配送用保冷容器に関する。
【０００２】
【従来の技術】
従来、この種の配送用保冷容器は、軽量で断熱性に富む発泡スチロール製の箱本体に、同じ発泡スチロール製の板状蓋体を被せたものが一般的である。そして、この保冷容器に、配送品を所定の低温に保冷すべくドライアイスと一緒に収納し、たとえば輸送用車両に積載して宅配便などで目的地へ配送されている。
【０００３】
【発明が解決しようとする課題】
ところが、従来、配送品を保冷容器に収納して遠隔地へ配送する場合は、通常、配送品の集配作業店や輸送中継店などで、輸送用車両から保冷容器の積替えや荷卸し作業が必要であり、その都度、外気などの常温下に曝されやすく、これによって、従来の配送用保冷容器では、届け先まで一定の保冷温度を確実に維持することが困難であるという課題があった。
【０００４】
しかも、届け先が不在で持ち戻りの場合など、配送品を一時保管することが必要な場合には、輸送時間に保管時間を加えた長時間にわたり、一定の低温に保冷状態を維持する必要があるが、そのためには、随時、容器本体を開放してドライアイスを補給しなければならない。これでは、ドライアイスの使用量が増大し、その補給作業も面倒であるという問題があり、しかも、蓋体を開けるたびに冷気が逃げるため、鮮度保持の点でも問題がある。また、ドライアイスの補給時に、配送品にも手が触れやすく、それが食材などの場合に不衛生であるという問題もある。さらには、容器本体内で配送品をドライアイスと一緒に収納して直接冷却するため、ドライアイスが接触する箇所と接触しない箇所とで商品の配送品に冷却ムラを生じたりして商品価値が低下するなどの弊害が発生するという課題もあった。
【０００５】
そこで、本発明の目的は、従来課題であった上述のような諸問題を解消し、長時間にわたり継続して所定の保冷温度を確実に維持する配送用保冷容器を提供することにある。
【０００６】
【課題を解決するための手段】
そのため、上記目的を達成すべく、請求項１に記載の発明は、たとえば以下に図面を用いて説明する実施の形態に示すとおり、いずれも断熱材からなる上方を開放した箱形の容器本体１と該容器本体１に被せる蓋体２とで構成され、配送品ＣをドライアイスＤで保冷しながら収納する配送用保冷容器Ａ３において、前記容器本体には、上端面の内縁に沿って凸条の係合リブを設ける一方、前記蓋体２は、枠板状の蓋本体３と上蓋４および下蓋５の３つに着脱自在に分割して構成し、前記蓋本体３には、上端面および下端面の内縁に沿ってそれぞれ凸条の係合リブ３ａ・３ｂを設けると共に、内壁面の下縁に沿って上下に凸条の押えリブと蓋受けリブ３ｄとを間隔をあけて設け、前記上蓋４には、下面端縁に凸条の係合リブ４ａを設け、前記下蓋５を、前記蓋受けリブ３ｄの上に前記押えリブとの間で挟んで載置し、前記上蓋４を、その係合リブ４ａを前記蓋本体３の上端面の係合リブ３ａに係合して該蓋本体３上に被せることにより、内部に前記下蓋５の上に乗せて収納する前記ドライアイスＤの周りに冷気が充満する空間のあいた冷気供給室Ｓが形成される持ち運び可能な箱形に組み立ててなる一方、前記蓋本体３の下端面の係合リブ３ｂを前記容器本体１の上端面の係合リブ１ａに係合して該容器本体１に対し着脱自在に組み付け、前記下蓋５は、蓄冷体で形成し、該蓄冷体５に、前記冷気供給室Ｓ内の冷気を前記容器本体１側へ送給する通気用の開口６を設けて構成する一方、前記容器本体１の内壁面１ｂには、蓄冷体１０を間に挟んでアルミニウム製の熱伝導板１１を組み付け、該熱伝導板１１の上端部に互いに対向する向きに屈曲した折曲げ板部１１ａを形成し、前記容器本体１に前記蓋体２を被せたとき、前記下蓋５の下面と前記折曲げ板部１１ａとが接触する構造にしてなることを特徴とする。
【０００８】
請求項２に記載の発明は、請求項１に記載の配送用保冷容器において、たとえば以下に図面を用いて説明する実施の形態に示すとおり、樹脂製の断熱カバー１５を開閉可能に被せて全体を覆ってなることを特徴とする。
【０００９】
【発明の実施の形態】
以下、図面を参照しつつ、本発明の実施の形態について詳細に説明する。
【００１０】
図１は、本発明による配送用保冷容器の一例を示す縦断面図、図２はその分解斜視図、図３は容器本体と蓋体の２つに分割して示す斜視図、図４は全体の組立外観斜視図である。
【００１１】
この例の配送用保冷容器は、全体を符号Ａ１で示すとおり、容器本体１と蓋体２とからなる。そのうち容器本体１は、断熱材を材料として上方開放型の箱形状につくり、上端面の内縁に沿って凸条の係合リブ１ａを形成してなる。断熱材としては、たとえば軽量で且つ安価な発泡材を用いる。各種発泡材の中でも、軽量且つ安価な点で、発泡スチロールなどでも良いが、耐磨耗性・耐衝撃性の点でも優れた発泡ポリプロピレンを使用することが望ましい。図示例では、たとえば発泡倍率４５倍の発泡ポリプロピレンを材料として用い、長さ約３６０ｍｍ・幅約２７０ｍｍ・高さ約１６０ｍｍ・厚さ約３０ｍｍの四角い箱形に、容器本体１を作製する。
【００１２】
一方、蓋体２は、蓋本体３と上蓋４および下蓋５の３つに分割した構成部品からなる。そのうちの蓋本体３および上蓋４は、容器本体１と同じ断熱材、たとえば上記発泡ポリプロピレンを用いて形成する一方、下蓋５は、特に蓄冷体で形成してなる。
【００１３】
蓋本体３は、厚さ約３０ｍｍで矩形の枠板状につくり、上端面の内縁に沿って凸条の係合リブ３ａを形成する一方、下端面の外縁に沿って凸条の係合リブ３ｂを形成してなる。また、内壁面３ｃには、その図中下縁に沿って凸条の蓋受けリブ３ｄを設けてなる。
【００１４】
上蓋４は、厚さ約１５ｍｍの矩形平板状につくり、下面の端縁に、蓋本体３の係合リブ３ａと対応する凸条の係合リブ４ａを設けてなる。
【００１５】
蓄冷体からなる下蓋５は、たとえば樹脂製の中空容器内に公知の液状蓄冷剤を封入したもので、蓋本体３の内寸に合わせた長さと幅サイズで、厚さ約３５ｍｍの矩形平板状に成形されている。そして、下蓋５には、特に、上記中空容器を成形して複数の貫通穴を設け、これらを通気用の開口６として形成してなる。なお、蓄冷体は、図示しないが、上記中空容器の外表面に多数の長溝を設けて表面凹凸形状に成形し、これにより、強度を高めると共に冷却効率を上げるように構成するとよい。
【００１６】
そこで、蓋体２は、この下蓋５を蓋本体３の蓋受けリブ３ｄ上に載置する一方、係合リブ３ａに係合リブ４ａを係合させて蓋本体３上に上蓋４を被せ、全体に箱状に組み立ててなる。そして、この箱形の蓋体２内に、ドライアイスＤを下蓋５上に乗せて収納する冷気供給室Ｓを形成する。なお、蓋体２の蓋本体３には、蓄冷体の下蓋５が、持ち運び時に浮き上がってがたつくことを防止するために、押え用のリブ（図示省略）を、内壁面３ｃにおける蓋受けリブ３ｄの上側に設ける構成にするとよい。
【００１７】
さて、上述した構成の配送用保冷容器Ａ１を用いて、配送品Ｃ、例えば贈答用のアイスクリームなどを宅配便にて配送する場合は、上蓋４を開けてドライアイスＤを下蓋５上に乗せ、冷気供給室Ｓ内に予め入れておく。一方、集荷先にて、配送品Ｃを容器本体１内に入れ、係合リブ１ａに係合リブ３ｂを係合させて蓋体２を容器本体１に被せ、容器本体１を持って配送用保冷容器Ａ１を運ぶ。そして、輸送用車両に積載し、たとえば集荷作業店から適宜中継店・配達作業店へと継送して遠隔の届け先へと配送品Ｃを配達する。
【００１８】
このとき、配送用保冷容器Ａ１では、配送品Ｃの集荷から配達までの輸送時間の間、ドライアイスＤだけでなく、蓄冷体（下蓋）５から発生する冷気が、直接下方へ送給されると共に、図１中矢示する如く冷気供給室Ｓ内から通気用の開口６を通って下降し、容器本体１内へと送給される。しかも、その間、冷気供給室Ｓ内では、互いに接触したドライアイスＤからその冷熱が蓄冷体５にも伝わって冷蓄能力が、随時高められている。したがって、配送用保冷容器Ａ１では、配送途中の積替えや荷卸し作業時にたびたび常温下に曝されることがあっても、２４時間以上の長時間にわたり継続して所定保冷温度、例えば−２３℃或いはそれ以下の所定低温に維持される。
【００１９】
また、仮に届け先不在のため持ち戻り、保冷必要期間が更に延長された場合であっても、そのまま所定の保冷温度を保持することができる。このように保冷必要期間が延長された結果、例外的にドライアイスＤを補給する必要がある場合には、蓋体２の上蓋４を開けてドライアイスＤを入れる。そのとき、容器本体１は開放されないため、冷気を逃がすことがなく、その結果、依然として所定の保冷温度は保持される。しかも、このドライアイス補給時に、配送品Ｃには手を触れなくて済み、衛生的である。
【００２０】
なお、不用となった配送用保冷容器は、廃棄することなく、届け先にて回収し、配達作業店から所定の容器ストック施設を経て、所定の容器洗浄施設に集約し、そこで洗浄して後、再び新たな配送用保冷容器としてリユースするようにする。
【００２１】
ところで、本発明は、上述した配送用保冷容器Ａ１に代え、たとえば図５〜図７に示すように、それぞれ異なる構成にすることができる。なお、以下に例示する他の配送用保冷容器において、上記配送用保冷容器Ａ１と同様な構成部分については、それぞれ同一符号を付して説明する。
【００２２】
まず、図５に示す配送用保冷容器Ａ３は、容器本体１の内壁面１ｂに、蓄冷体１０を間に挟んで、熱伝導性の極めて良好なアルミニウム板からなる熱伝導板１１を組み付けてなる。蓄冷体１０は、上述したと同様に樹脂製の中空容器内に液状蓄冷剤を封入したものであるが、これを薄箱板状に成形し、容器本体１内壁の左右側面および底面に沿うように断面コ形状に折り曲げて形成してなる。そして、この蓄冷体１０を、容器本体１内壁の左右側面および底面に張り付け、該蓄冷体１０の外表面に、同じく断面コ形状に曲げ成形した熱伝導板１１を重合させて一体化させてなる。
【００２３】
蓋体２は、上述したと同様に、枠板状の蓋本体３と、蓋本体３の上下に着脱自在に組み付ける上蓋４および下蓋５とで箱状に形成し、内部にドライアイスＤを収納する冷気供給室Ｓを設ける構成にしてなる。
【００２４】
なお、この例の配送用保冷容器Ａ３では、容器本体１側における熱伝導板１１の上端部を、互いに対向する向きに屈曲させて折曲げ板部１１ａを形成し、容器本体１に蓋体２を被せたとき、下蓋５の熱伝導板と容器本体１側の熱伝導板１１とが接触する構造にしてある。これにより、下蓋５側の冷気が容器本体１側の熱伝導板１１へも伝わり、それだけ効率良く、容器本体１内の配送品Ｃを冷却できるようになっている。
【００２５】
したがって、この配送用保冷容器Ａ３では、配送品Ｃの集荷から配達までの輸送時間の間、ドライアイスＤだけでなく、蓄冷体（下蓋）５から発生する冷気が、直接下方へ送給されると共に、図５中矢印ａで示す如く、冷気供給室Ｓ内から通気用の開口６を通って下降し、容器本体１内へと送給される。併せて、容器本体１内では、上方の冷気供給室Ｓから冷気が降り注がれると同時に、蓄冷体１０から発生する冷気が、図５中矢印ｂで示す如く、熱伝導板１１を伝って三方から配送品Ｃに向けて送給される。したがって、配送用保冷容器Ａ３においては、配送途中の積替えや荷卸し作業時にたびたび常温下に曝されることがあっても、２４時間以上の長時間にわたり継続して所定保冷温度を、より一層確実に維持することができる。
【００２６】
図５の配送用保冷容器Ａ３では、容器本体１内壁における左右側面および底面の３面に蓄冷体１０および熱伝導板１１をそれぞれ設けた。しかし、本発明では、たとえば図６に示すように、熱伝導板１１を同じ３面に設ける一方、蓄冷体１０は、底面にのみ設けるに留める構成にしてもよい。勿論、本発明では、配送用保冷容器Ａ３の例において、蓄冷体１０と熱伝導板１１とを、それぞれ容器本体１の内壁面において何処に設けるか、その組み合わせは、保冷温度・保冷時間などの状況に応じて適宜選択的に考えられる。
【００２７】
上述した配送用保冷容器は、たとえば図７に示すような断熱カバー１５を備え、該断熱カバー１５を被せて全体を覆った構成にすることが、保冷上好ましい。図示例の断熱カバー１５は、軟質な断熱性を有するポリエステル・塩化ビニール等の樹脂製で、箱形の容器形状に合わせて箱袋状につくられ、その角部にファスナー１６を取り付けて開閉可能に形成してなる。また、図中正面カバー部１５ａには、上カバー部１５ｂの止着用にマジックテープ（登録商標）１７を貼り付けている。なお、図中符号１８は、持ち運び用の取っ手である。したがって、図示例の配送用保冷容器では、断熱カバー１５で覆って、外気を二重に遮断して配送することにより、所定の保冷温度を、更に一層長い時間にわたって確実に保持することができる。
【００２８】
なお、以上の図示実施の形態では、いずれも外形が四角い箱状の配送用保冷容器を示して説明したが、本発明は、たとえば輸送対象の配送品に応じて、他の多角形の箱形や、円筒状の箱形など、そのほか各種の箱形状に形成する場合にも、当然適用することができる。さらに、本発明の配送用保冷容器には、配送用伝票などを貼り付けることがあるが、それら貼着材を剥がし易くするために、容器表面に一部シボ加工を施し、高さ１ｍｍ程度の突起を多数設ける構成にするとよい。
【００２９】
【発明の効果】
上述のように構成した本発明によれば、次のような効果が得られる。
【００３０】
請求項１に記載の発明によれば、配送品の集荷から配達までの輸送時間の間、ドライアイスだけでなく蓄冷体の下蓋から発生する冷気が、直接下方へ送給されると共に、冷気供給室内から通気用の開口を通って下降し、容器本体内へと送給される構成であるため、配送途中の積替えや荷卸し作業時にたびたび常温下に曝されるようなことがあっても、長時間、継続して所定保冷温度を確実に維持することができる。その結果、たとえ届け先不在で持ち戻りによって保冷必要期間が延長される場合であっても、そのまま所定保冷温度を保持し続けることができる。
【００３１】
また、冷気供給室内で蓄冷体の下蓋上にドライアイスを載せて直接接触させた構成であるため、ドライアイスの冷熱が蓄冷体にも伝わって蓄冷体の冷蓄能力が随時高められ、その結果、たとえドライアイスが昇華した後であっても、未だ有効に蓄冷体単独でその冷蓄能力が発揮され、依然、配送品の保冷効果を保持することができる。しかも、それだけドライアイスを不必要に使用することが避けられ、その使用量を大幅に削減することができる。
【００３２】
更に、蓋体には、ドライアイスを収納する冷気供給室を形成してドライアイスと配送品とを隔離し、上方から送給する冷気で一律に容器本体内の配送品を保冷する構成であるため、従来の如くドライアイスが直接接触する箇所と接触しない箇所とで配送品に冷却ムラを生ずるなどの問題を起すことなく、均一に且つ適確に配送品を保冷することができる。
【００３３】
加えて、配達時に保冷必要期間がたびたび延長された結果、例外的にドライアイスを補給する必要がある場合でも、そのときは、単に蓋体の上蓋を開けてドライアイスを投入するだけ済む構成であるため、それだけ面倒なくドライアイスを簡単に補給することができる。しかも、このドライアイスの補給時、容器本体は開放されないため、配送品を外気に曝すことが避けられ、また容器本体内から冷気を逃がすこともなく、その結果、そのまま所定保冷温度を保持することができる。また、ドライアイスの補給時には、食材のような配送品に手を触れなくて済むため、衛生面でも有利である。さらに、配達時、届け先で配送品を手渡すとき、ドライアイスに対する防護用に手袋をいちいち装着する必要なく、配送品を簡単に取り出せるという効果を得ることもできる。
【００３４】
また、請求項１に記載の発明によれば、配送品の集荷から配達までの輸送時間の間、ドライアイスだけでなく蓄冷体の下蓋から発生する冷気が、直接下方へ送給されると共に、冷気供給室内から通気用の開口を通って下降し、容器本体１内へと送給されると同時に、容器本体内では、蓄冷体から発生する冷気が、熱伝導板を伝って配送品に向け送給される構成であるため、配送途中の積替えや荷卸し作業時にたびたび常温下に曝されることがあっても、さらに一層長時間にわたり継続して所定保冷温度を、より一層確実に維持することができる。
【００３５】
しかも、請求項１に記載の発明によれば、容器本体に蓋体を被せたとき、蓋体の上記下蓋と容器本体内の熱伝導板とが一部接触する構造であることから、下蓋側の冷気が容器本体側の熱伝導板へも伝わり、それだけ効率良く、容器本体内の配送品を冷却して保冷効果を向上させることができる。
【００３６】
請求項２に記載の発明によれば、樹脂製の断熱カバーを備え、これを開閉可能に被せて全体を覆った構成にすることにより、配送時、外気を二重に遮断し、それだけ所定保冷温度を、更に一層長い時間にわたって確実に保持することができる。
【図面の簡単な説明】
【図１】  本発明による配送用保冷容器の第１例を示す縦断面図である。
【図２】  第１例の分解斜視図である。
【図３】  第１例の配送用保冷容器を容器本体と蓋体とに分割して示す斜視図である。
【図４】  第１例の組立外観斜視図である。
【図５】  本発明による配送用保冷容器の第２例を示す縦断面図である。
【図６】  本発明による配送用保冷容器の第３例を示す縦断面図である。
【図７】  本発明による配送用保冷容器の第４例を示す斜視図である。
【符号の説明】
１・２０          容器本体
２・２１          蓋体
３                蓋本体
３ｆ              下蓋部
４・２３          上蓋
５                下蓋（蓄冷体）
６                通気用の開口
１０              蓄冷体
１１・３５        熱伝導板
１１ａ            折曲げ板部
１５              断熱カバー
Ａ１・Ａ３        配送用保冷容器
Ｃ                配送品
Ｄ                ドライアイス
Ｓ                冷気供給室
【図１】
0004556019.tif 000002
【図２】
0004556019.tif 000003
【図３】
0004556019.tif 000004
【図４】
0004556019.tif 000005
【図５】
0004556019.tif 000006
【図６】
0004556019.tif 000007
【図７】
0004556019.tif 000008